(57)【特許請求の範囲】
【請求項１】
信号を送信するための方法であって、下記の、
データストリームに対してコンステレーションマッピングを実行してマッピングされた信号を獲得するステップと、
前記マッピングされた信号に対してプリフィルタリングを実行して前記マッピングされた信号を第１のフィルタ処理された信号に変換するステップであって、前記プリフィルタリングが有限インパルス応答フィルタリングであり、前記第１のフィルタ処理された信号の帯域幅が前記マッピングされた信号の帯域幅より小さく、前記第１のフィルタ処理された信号がボーレート信号である、ステップと、
前記第１のフィルタ処理された信号に従って波形成形を実行して整形された信号を獲得するステップと、
前記整形された信号に対してデジタル／アナログ変換を実行してアナログ信号を獲得するとともに、前記アナログ信号を送信するステップと、
アナログ信号に対してアナログ／デジタル変換を実行してデジタル信号を獲得するステップと、
前記デジタル信号に対して等化及び位相回復を実行して等化及び回復された信号を獲得するステップと、
前記等化及び回復された信号に対してポストフィルタリングを実行して前記等化及び回復された信号を第２のフィルタ処理された信号に変換するステップであって、前記ポストフィルタリングが有限インパルス応答フィルタリングであり、前記等化及び回復された信号の帯域幅が前記第２のフィルタ処理された信号の帯域幅より大きい、ステップと、
前記第２のフィルタ処理された信号に対してシーケンス検出を実行してシーケンス信号を獲得するステップとを含む、方法。
【請求項２】
前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記第１のフィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、請求項１に記載の方法。
【請求項３】
前記ポストフィルタリングを実施するための式が
【数１】
0006301478.tif 000023
であり、
ここで、ｋが時間シーケンス番号であり、Ｆ（ｋ）が前記第２のフィルタ処理された信号であり、Ｅ（ｋ）が前記等化及び回復された信号であり、０≦ｊ≦Ｍ−１であり、Ｍ−１が時間単位に基づく最大の遅延量であり、
【数２】
0006301478.tif 000024
がｊ番目のフィルタ係数であり、また、Ｅ（ｋ−ｊ）がＥ（ｋ）をｊ個の時間単位だけ遅延させることにより獲得される信号であるとともに、
ここで、前記プリフィルタリングを実施するための前記式における時間単位に基づく前記最大の遅延量Ｎ−１が前記ポストフィルタリングを実施するための前記式における時間単位に基づく前記最大の遅延量Ｍ−１に等しい、請求項１又は請求項２に記載の方法。
【請求項４】
マッピングモジュール、プリフィルタリングモジュール、整形モジュール、及びデジタル／アナログ変換モジュールを備える送信機であって、
前記マッピングモジュールが、データストリームに対してコンステレーションマッピングを実行してマッピングされた信号を獲得するように構成されるとともに、前記マッピングモジュールが前記マッピングされた信号を前記プリフィルタリングモジュールに送信し、
前記プリフィルタリングモジュールが、前記マッピングされた信号を受信し、前記マッピングされた信号に対してプリフィルタリングを実行して前記マッピングされた信号をフィルタ処理された信号に変換し、前記プリフィルタリングが有限インパルス応答フィルタリングであり、前記フィルタ処理された信号の帯域幅が前記マッピングされた信号の帯域幅より小さく、前記フィルタ処理された信号がボーレート信号である、ように構成されるとともに、前記プリフィルタリングモジュールが前記フィルタ処理された信号を前記整形モジュールに送信し、
前記整形モジュールが、前記フィルタ処理された信号を受信し、前記フィルタ処理された信号に対して波形成形を実行して整形された信号を獲得するように構成されるとともに、前記整形モジュールが前記整形された信号を前記デジタル／アナログ変換モジュールに送信し、
前記デジタル／アナログ変換モジュールが、前記整形された信号を受信し、前記整形された信号に対してデジタル／アナログ変換を実行してアナログ信号を獲得するとともに、前記アナログ信号を送信するように構成される、送信機と、
アナログ／デジタル変換モジュール、等化及び回復モジュール、ポストフィルタリングモジュール、及びシーケンス検出モジュールを備える受信機であって、
前記アナログ／デジタル変換モジュールが、アナログ信号に対してアナログ／デジタル変換を実行してデジタル信号を獲得するように構成されるとともに、前記アナログ／デジタル変換モジュールが前記デジタル信号を前記等化及び回復モジュールに送信し、
前記等化及び回復モジュールが、前記デジタル信号を受信し、前記デジタル信号に対して等化及び位相回復を実行して等化及び回復された信号を獲得するように構成されるとともに、前記等化及び回復モジュールが前記等化及び回復された信号を前記ポストフィルタリングモジュールに送信し、
前記ポストフィルタリングモジュールが、前記等化及び回復された信号を受信し、前記等化及び回復された信号に対してポストフィルタリングを実行して前記等化及び回復された信号をフィルタ処理された信号に変換し、前記ポストフィルタリングが有限インパルス応答フィルタリングであり、前記等化及び回復された信号の帯域幅が前記フィルタ処理された信号の帯域幅より大きい、ように構成されるとともに、前記ポストフィルタリングモジュールが前記フィルタ処理された信号を前記シーケンス検出モジュールに送信し、
前記シーケンス検出モジュールが、前記フィルタ処理された信号を受信するとともに、前記フィルタ処理された信号に対してシーケンス検出を実行してシーケンス信号を獲得するように構成される、受信機と
を備える、信号伝送システム。
【請求項５】
前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記フィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、請求項４に記載の信号伝送システム。
【請求項６】
前記ポストフィルタリングを実施するための式が
【数５】
0006301478.tif 000025
であり、ここで、ｋが時間シーケンス番号であり、Ｆ（ｋ）が前記フィルタ処理された信号であり、Ｅ（ｋ）が前記等化及び回復された信号であり、０≦ｊ≦Ｍ−１であり、Ｍ−１が時間単位に基づく最大の遅延量であり、
【数６】
0006301478.tif 000026
がｊ番目のフィルタ係数であり、また、Ｅ（ｋ−ｊ）がＥ（ｋ）をｊ個の時間単位だけ遅延させることにより獲得される信号である、請求項４又は請求項５に記載の信号伝送システム。
【請求項７】
第１のプロセッサ及びデジタル／アナログ変換器を備える送信機であって、
前記第１のプロセッサが、データストリームに対してコンステレーションマッピングを実行してマッピングされた信号を獲得し、前記マッピングされた信号に対してプリフィルタリングを実行して前記マッピングされた信号をフィルタ処理された信号に変換し、ここで、前記プリフィルタリングが有限インパルス応答フィルタリングであり、前記フィルタ処理された信号の帯域幅が前記マッピングされた信号の帯域幅より小さく、前記フィルタ処理された信号がボーレート信号であり、そして、前記フィルタ処理された信号に従って波形成形を実行して整形された信号を獲得するように構成され、
前記デジタル／アナログ変換器が、前記整形された信号に対してデジタル／アナログ変換を実行してアナログ信号を獲得するとともに、前記アナログ信号を送信するように構成される、送信機と、
アナログ／デジタル変換器及び第２のプロセッサを備える受信機であって、
前記アナログ／デジタル変換器が、アナログ信号に対してアナログ／デジタル変換を実行してデジタル信号を獲得するように構成され、
前記第２のプロセッサが、前記デジタル信号に対して等化及び位相回復を実行して等化及び回復された信号を獲得し、前記等化及び回復された信号に対してポストフィルタリングを実行して前記等化及び回復された信号をフィルタ処理された信号に変換し、ここで、前記ポストフィルタリングが有限インパルス応答フィルタリングであり、前記等化及び回復された信号の帯域幅が前記フィルタ処理された信号の帯域幅より大きく、そして、前記フィルタ処理された信号に対してシーケンス検出を実行してシーケンス信号を獲得するように構成される、受信機と
を備える、信号伝送システム。
【請求項８】
前記第１のプロセッサにより前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記フィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、請求項７に記載の信号伝送システム。
【請求項９】
前記第２のプロセッサにより前記ポストフィルタリングを実施するための式が
【数７】
0006301478.tif 000027
であり、ここで、ｋが時間シーケンス番号であり、Ｆ（ｋ）が前記フィルタ処理された信号であり、Ｅ（ｋ）が前記等化及び回復された信号であり、０≦ｊ≦Ｍ−１であり、Ｍ−１が時間単位に基づく最大の遅延量であり、
【数８】
0006301478.tif 000028
がｊ番目のフィルタ係数であり、また、Ｅ（ｋ−ｊ）がＥ（ｋ）をｊ個の時間単位だけ遅延させることにより獲得される信号である、請求項７又は請求項８に記載の信号伝送システム。
【請求項１０】
コンピュータに請求項１から請求項３のいずれか一項に記載のステップを実行させる、プログラム。
【発明の詳細な説明】
【技術分野】
【０００１】
本出願は、通信分野に関し、特に、信号を送信及び受信するための方法、並びに対応する装置及びシステムに関する。
【背景技術】
【０００２】
通信分野では、システムのボーレートが増えるにつれて、単一の搬送波により占有される帯域幅はますます大きくなる。したがって、送信機及び受信機のハードウェアの帯域幅が不十分である場合に、信号が送信機又は受信機を通過するときに信号損失がもたらされ、それにより、システムの全体的な性能に影響を及ぼす。波長分割多重システムの場合には、信号は、概して、固定された間隔を有する複数の単一の搬送波によって搬送される。単一の搬送波の帯域幅が増加する場合に、チャネル間のクロストークが強められ、そしてシステム性能が悪化する。
【発明の概要】
【０００３】
本出願は、信号を送信及び受信するための方法、並びに対応する装置及びシステムを提供し、それは、高ボーレート信号を狭帯域幅で伝送することができ、信号損失を効果的に削減することができる。
【０００４】
本出願の第１の態様は、信号を送信するための方法であって、下記の、データストリームに対してコンステレーションマッピングを実行してマッピングされた信号を獲得するステップと、前記マッピングされた信号に対してプリフィルタリングを実行して前記マッピングされた信号をフィルタ処理された信号に変換するステップであって、前記プリフィルタリングが有限インパルス応答フィルタリングであり、前記フィルタ処理された信号の帯域幅が前記マッピングされた信号の帯域幅より小さく、前記フィルタ処理された信号がボーレート信号である、ステップと、前記フィルタ処理された信号に従って波形成形を実行して整形された信号を獲得するステップと、前記整形された信号に対してデジタル／アナログ変換を実行してアナログ信号を獲得するとともに、前記アナログ信号を送信するステップとを含む、信号を送信するための方法を提供する。
【０００５】
第１の態様に関連して、本出願の第１の態様の第１の可能な実施方法において、前記プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）は前記フィルタ処理された信号であり、Ｃ（ｋ）は前記マッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。
【０００６】
本出願の第２の態様は、信号を受信するための方法であって、下記の、アナログ信号に対してアナログ／デジタル変換を実行してデジタル信号を獲得するステップと、前記デジタル信号に対して等化及び位相回復を実行して等化及び回復された信号を獲得するステップと、前記等化及び回復された信号に対してポストフィルタリングを実行して前記等化及び回復された信号をフィルタ処理された信号に変換するステップであって、前記ポストフィルタリングが有限インパルス応答フィルタリングであり、前記等化及び回復された信号の帯域幅が前記フィルタ処理された信号の帯域幅より大きい、ステップと、前記フィルタ処理された信号に対してシーケンス検出を実行してシーケンス信号を獲得するステップとを含む、信号を受信するための方法を提供する。
【０００７】
第２の態様に関連して、本出願の第２の態様の第１の可能な実施方法において、前記ポストフィルタリングを実施するための式は
【数１】
0006301478.tif 000002
であり、ここで、ｋは時間シーケンス番号であり、Ｆ（ｋ）は前記フィルタ処理された信号であり、Ｅ（ｋ）は前記等化及び回復された信号であり、０≦ｊ≦Ｍ−１であり、Ｍ−１は時間単位に基づく最大の遅延量であり、
【数２】
0006301478.tif 000003
はｊ番目のフィルタ係数であり、また、Ｅ（ｋ−ｊ）はＥ（ｋ）をｊ個の時間単位だけ遅延させることにより獲得される信号である。
【０００８】
本出願の第３の態様は、マッピングモジュール、プリフィルタリングモジュール、整形モジュール、及びデジタル／アナログ変換モジュールを含む送信機であって、前記マッピングモジュールが、データストリームに対してコンステレーションマッピングを実行してマッピングされた信号を獲得するように構成されるとともに、前記マッピングモジュールが前記マッピングされた信号を前記プリフィルタリングモジュールに送信し、前記プリフィルタリングモジュールが、前記マッピングされた信号を受信し、前記マッピングされた信号に対してプリフィルタリングを実行して前記マッピングされた信号をフィルタ処理された信号に変換し、前記プリフィルタリングが有限インパルス応答フィルタリングであり、前記フィルタ処理された信号の帯域幅が前記マッピングされた信号の帯域幅より小さく、前記フィルタ処理された信号がボーレート信号である、ように構成されるとともに、前記プリフィルタリングモジュールが前記フィルタ処理された信号を前記整形モジュールに送信し、前記整形モジュールが、前記フィルタ処理された信号を受信し、前記フィルタ処理された信号に対して波形成形を実行して整形された信号を獲得するように構成されるとともに、前記整形モジュールが前記整形された信号を前記デジタル／アナログ変換モジュールに送信し、前記デジタル／アナログ変換モジュールが、前記整形された信号を受信し、前記整形された信号に対してデジタル／アナログ変換を実行してアナログ信号を獲得するとともに、前記アナログ信号を送信するように構成される、送信機を提供する。
【０００９】
第３の態様に関連して、本出願の第３の態様の第１の可能な実施方法において、前記プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）は前記フィルタ処理された信号であり、Ｃ（ｋ）は前記マッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。
【００１０】
本出願の第４の態様は、アナログ／デジタル変換モジュール、等化及び回復モジュール、ポストフィルタリングモジュール、及びシーケンス検出モジュールを含む受信機であって、前記アナログ／デジタル変換モジュールが、アナログ信号に対してアナログ／デジタル変換を実行してデジタル信号を獲得するように構成されるとともに、前記アナログ／デジタル変換モジュールが前記デジタル信号を前記等化及び回復モジュールに送信し、前記等化及び回復モジュールが、前記デジタル信号を受信し、前記デジタル信号に対して等化及び位相回復を実行して等化及び回復された信号を獲得するように構成されるとともに、前記等化及び回復モジュールが前記等化及び回復された信号を前記ポストフィルタリングモジュールに送信し、前記ポストフィルタリングモジュールが、前記等化及び回復された信号を受信し、前記等化及び回復された信号に対してポストフィルタリングを実行して前記等化及び回復された信号をフィルタ処理された信号に変換し、前記ポストフィルタリングが有限インパルス応答フィルタリングであり、前記等化及び回復された信号の帯域幅が前記フィルタ処理された信号の帯域幅より大きい、ように構成されるとともに、前記ポストフィルタリングモジュールが前記フィルタ処理された信号を前記シーケンス検出モジュールに送信し、前記シーケンス検出モジュールが、前記フィルタ処理された信号を受信するとともに、前記フィルタ処理された信号に対してシーケンス検出を実行してシーケンス信号を獲得するように構成される、受信機を提供する。
【００１１】
第４の態様に関連して、本出願の第４の態様の第１の可能な実施方法において、前記ポストフィルタリングを実施するための式は
【数３】
0006301478.tif 000004
であり、ここで、ｋは時間シーケンス番号であり、Ｆ（ｋ）は前記フィルタ処理された信号であり、Ｅ（ｋ）は前記等化及び回復された信号であり、０≦ｊ≦Ｍ−１であり、Ｍ−１は時間単位に基づく最大の遅延量であり、
【数４】
0006301478.tif 000005
はｊ番目のフィルタ係数であり、また、Ｅ（ｋ−ｊ）はＥ（ｋ）をｊ個の時間単位だけ遅延させることにより獲得される信号である。
【００１２】
本出願の第５の態様は、プロセッサ及びデジタル／アナログ変換器を含む送信機であって、前記プロセッサが、データストリームに対してコンステレーションマッピングを実行してマッピングされた信号を獲得し、前記マッピングされた信号に対してプリフィルタリングを実行して前記マッピングされた信号をフィルタ処理された信号に変換し、ここで、前記プリフィルタリングが有限インパルス応答フィルタリングであり、前記フィルタ処理された信号の帯域幅が前記マッピングされた信号の帯域幅より小さく、前記フィルタ処理された信号がボーレート信号であり、そして、前記フィルタ処理された信号に従って波形成形を実行して整形された信号を獲得するように構成され、前記デジタル／アナログ変換器が、前記整形された信号に対してデジタル／アナログ変換を実行してアナログ信号を獲得するとともに、前記アナログ信号を送信するように構成される、送信機を提供する。
【００１３】
第５の態様に関連して、本出願の第５の態様の第１の可能な実施方法において、前記プロセッサにより前記プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）は前記フィルタ処理された信号であり、Ｃ（ｋ）は前記マッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。
【００１４】
本出願の第６の態様は、アナログ／デジタル変換器及びプロセッサを含む受信機であって、前記アナログ／デジタル変換器が、アナログ信号に対してアナログ／デジタル変換を実行してデジタル信号を獲得するように構成され、前記プロセッサが、前記デジタル信号に対して等化及び位相回復を実行して等化及び回復された信号を獲得し、前記等化及び回復された信号に対してポストフィルタリングを実行して前記等化及び回復された信号をフィルタ処理された信号に変換し、ここで、前記ポストフィルタリングが有限インパルス応答フィルタリングであり、前記等化及び回復された信号の帯域幅が前記フィルタ処理された信号の帯域幅より大きく、そして、前記フィルタ処理された信号に対してシーケンス検出を実行してシーケンス信号を獲得するように構成される、受信機を提供する。
【００１５】
第６の態様に関連して、本出願の第６の態様の第１の可能な実施方法において、前記プロセッサにより前記ポストフィルタリングを実施するための式は
【数５】
0006301478.tif 000006
であり、ここで、ｋは時間シーケンス番号であり、Ｆ（ｋ）は前記フィルタ処理された信号であり、Ｅ（ｋ）は前記等化及び回復された信号であり、０≦ｊ≦Ｍ−１であり、Ｍ−１は時間単位に基づく最大の遅延量であり、
【数６】
0006301478.tif 000007
はｊ番目のフィルタ係数であり、また、Ｅ（ｋ−ｊ）はＥ（ｋ）をｊ個の時間単位だけ遅延させることにより獲得される信号である。
【００１６】
本出願の第７の態様は、信号伝送方法であって、下記の、送信機により、データストリームに対してコンステレーションマッピングを実行してマッピングされた信号を獲得するステップと、前記送信機により、前記マッピングされた信号に対してプリフィルタリングを実行して前記マッピングされた信号を第１のフィルタ処理された信号に変換するステップであって、前記プリフィルタリングが有限インパルス応答フィルタリングであり、前記第１のフィルタ処理された信号の帯域幅が前記マッピングされた信号の帯域幅より小さく、前記第１のフィルタ処理された信号がボーレート信号であり、前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記第１のフィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、ステップと、前記送信機により、前記第１のフィルタ処理された信号に従って波形成形を実行して整形された信号を獲得するステップと、前記送信機により、前記整形された信号に対してデジタル／アナログ変換を実行してアナログ信号を獲得するとともに、前記アナログ信号を送信するステップと、受信機により、前記アナログ信号に対してアナログ／デジタル変換を実行してデジタル信号を獲得するステップと、前記受信機により、前記デジタル信号に対して等化及び位相回復を実行して等化及び回復された信号を獲得するステップと、前記受信機により、前記等化及び回復された信号に対してポストフィルタリングを実行して前記等化及び回復された信号を第２のフィルタ処理された信号に変換するステップであって、前記ポストフィルタリングが有限インパルス応答フィルタリングであり、前記等化及び回復された信号の帯域幅が前記第２のフィルタ処理された信号の帯域幅より大きく、前記ポストフィルタリングを実施するための式が
【数７】
0006301478.tif 000008
であり、ここで、ｋが時間シーケンス番号であり、Ｆ（ｋ）が前記第２のフィルタ処理された信号であり、Ｅ（ｋ）が前記等化及び回復された信号であり、０≦ｊ≦Ｍ−１であり、Ｍ−１が時間単位に基づく最大の遅延量であり、
【数８】
0006301478.tif 000009
がｊ番目のフィルタ係数であり、また、Ｅ（ｋ−ｊ）がＥ（ｋ）をｊ個の時間単位だけ遅延させることにより獲得される信号である、ステップと、前記受信機により、前記第２のフィルタ処理された信号に対してシーケンス検出を実行してシーケンス信号を獲得するステップとを含み、前記プリフィルタリングを実施するための前記式における時間単位に基づく前記最大の遅延量Ｎ−１が前記ポストフィルタリングを実施するための前記式における時間単位に基づく前記最大の遅延量Ｍ−１に等しい、信号伝送方法を提供する。
【００１７】
本出願の第８の態様は、送信機及び受信機を含む信号伝送システムであって、前記送信機が、マッピングモジュール、プリフィルタリングモジュール、整形モジュール、及びデジタル／アナログ変換モジュールを含み、前記マッピングモジュールが、データストリームに対してコンステレーションマッピングを実行してマッピングされた信号を獲得するように構成されるとともに、前記マッピングモジュールが前記マッピングされた信号を前記プリフィルタリングモジュールに送信し、前記プリフィルタリングモジュールが、前記マッピングされた信号を受信し、前記マッピングされた信号に対してプリフィルタリングを実行して前記マッピングされた信号を第１のフィルタ処理された信号に変換し、前記プリフィルタリングが有限インパルス応答フィルタリングであり、前記第１のフィルタ処理された信号の帯域幅が前記マッピングされた信号の帯域幅より小さく、前記第１のフィルタ処理された信号がボーレート信号であり、前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記第１のフィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、ように構成されるとともに、前記プリフィルタリングモジュールが前記第１のフィルタ処理された信号を前記整形モジュールに送信し、前記整形モジュールが、前記第１のフィルタ処理された信号を受信し、前記第１のフィルタ処理された信号に対して波形成形を実行して整形された信号を獲得するように構成されるとともに、前記整形モジュールが前記整形された信号を前記デジタル／アナログ変換モジュールに送信し、前記デジタル／アナログ変換モジュールが、前記整形された信号を受信し、前記整形された信号に対してデジタル／アナログ変換を実行してアナログ信号を獲得するとともに、前記アナログ信号を送信するように構成され、前記受信機が、アナログ／デジタル変換モジュール、等化及び回復モジュール、ポストフィルタリングモジュール、及びシーケンス検出モジュールを含み、前記アナログ／デジタル変換モジュールが、前記アナログ信号に対してアナログ／デジタル変換を実行してデジタル信号を獲得するように構成されるとともに、前記アナログ／デジタル変換モジュールが前記デジタル信号を前記等化及び回復モジュールに送信し、前記等化及び回復モジュールが、前記デジタル信号を受信し、前記デジタル信号に対して等化及び位相回復を実行して等化及び回復された信号を獲得するように構成されるとともに、前記等化及び回復モジュールが前記等化及び回復された信号を前記ポストフィルタリングモジュールに送信し、前記ポストフィルタリングモジュールが、前記等化及び回復された信号を受信し、前記等化及び回復された信号に対してポストフィルタリングを実行して前記等化及び回復された信号を第２のフィルタ処理された信号に変換し、前記ポストフィルタリングが有限インパルス応答フィルタリングであり、前記等化及び回復された信号の帯域幅が前記第２のフィルタ処理された信号の帯域幅より大きく、前記ポストフィルタリングを実施するための式が
【数９】
0006301478.tif 000010
であり、ここで、ｋが時間シーケンス番号であり、Ｆ（ｋ）が前記第２のフィルタ処理された信号であり、Ｅ（ｋ）が前記等化及び回復された信号であり、０≦ｊ≦Ｍ−１であり、Ｍ−１が時間単位に基づく最大の遅延量であり、
【数１０】
0006301478.tif 000011
がｊ番目のフィルタ係数であり、また、Ｅ（ｋ−ｊ）がＥ（ｋ）をｊ個の時間単位だけ遅延させることにより獲得される信号である、ように構成されるとともに、前記ポストフィルタリングモジュールが前記第２のフィルタ処理された信号を前記シーケンス検出モジュールに送信し、前記シーケンス検出モジュールが、前記第２のフィルタ処理された信号を受信するとともに、前記第２のフィルタ処理された信号に対してシーケンス検出を実行してシーケンス信号を獲得するように構成され、前記プリフィルタリングを実施するための前記式における時間単位に基づく前記最大の遅延量Ｎ−１が前記ポストフィルタリングを実施するための前記式における時間単位に基づく前記最大の遅延量Ｍ−１に等しい、信号伝送システムを提供する。
【００１８】
本出願の第９の態様は、送信機及び受信機を含む信号伝送システムであって、前記送信機が第１のプロセッサ及びデジタル／アナログ変換器を含み、前記第１のプロセッサが、データストリームに対してコンステレーションマッピングを実行してマッピングされた信号を獲得し、前記マッピングされた信号に対してプリフィルタリングを実行して前記マッピングされた信号を第１のフィルタ処理された信号に変換し、ここで、前記プリフィルタリングが有限インパルス応答フィルタリングであり、前記第１のフィルタ処理された信号の帯域幅が前記マッピングされた信号の帯域幅より小さく、前記第１のフィルタ処理された信号がボーレート信号であり、そして、前記第１のフィルタ処理された信号に従って波形成形を実行して整形された信号を獲得し、前記第１のプロセッサにより前記プリフィルタリングを実施するための式がＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋが時間シーケンス番号であり、Ｄ（ｋ）が前記第１のフィルタ処理された信号であり、Ｃ（ｋ）が前記マッピングされた信号であり、０≦ｉ≦Ｎ−１であり、Ｎ−１が時間単位に基づく最大の遅延量であり、Ｗｉがｉ番目のフィルタ係数であり、また、Ｃ（ｋ−ｉ）がＣ（ｋ）をｉ個の時間単位だけ遅延させることにより獲得される信号である、ように構成され、前記デジタル／アナログ変換器が、前記整形された信号に対してデジタル／アナログ変換を実行してアナログ信号を獲得するとともに、前記アナログ信号を送信するように構成され、前記受信機がアナログ／デジタル変換器及び第２のプロセッサを含み、前記アナログ／デジタル変換器が、前記アナログ信号に対してアナログ／デジタル変換を実行してデジタル信号を獲得するように構成され、前記第２のプロセッサが、前記デジタル信号に対して等化及び位相回復を実行して等化及び回復された信号を獲得し、前記等化及び回復された信号に対してポストフィルタリングを実行して前記等化及び回復された信号を第２のフィルタ処理された信号に変換し、ここで、前記ポストフィルタリングが有限インパルス応答フィルタリングであり、前記等化及び回復された信号の帯域幅が前記第２のフィルタ処理された信号の帯域幅より大きく、そして、前記第２のフィルタ処理された信号に対してシーケンス検出を実行してシーケンス信号を獲得し、前記第２のプロセッサにより前記ポストフィルタリングを実施するための式が
【数１１】
0006301478.tif 000012
であり、ここで、ｋが時間シーケンス番号であり、Ｆ（ｋ）が前記第２のフィルタ処理された信号であり、Ｅ（ｋ）が前記等化及び回復された信号であり、０≦ｊ≦Ｍ−１であり、Ｍ−１が時間単位に基づく最大の遅延量であり、
【数１２】
0006301478.tif 000013
がｊ番目のフィルタ係数であり、また、Ｅ（ｋ−ｊ）がＥ（ｋ）をｊ個の時間単位だけ遅延させることにより獲得される信号である、ように構成され、前記プリフィルタリングを実施するための前記式における時間単位に基づく前記最大の遅延量Ｎ−１が前記ポストフィルタリングを実施するための前記式における時間単位に基づく前記最大の遅延量Ｍ−１に等しい、信号伝送システムを提供する。
【００１９】
前述の解決法において、プリフィルタリングの方法は、広帯域信号を狭帯域信号に変換するために送信機において使用され、それにより、狭帯域信号が、帯域幅が同様に狭いデジタル／アナログ変換器を通過する場合に、信号損失が削減されることができる。ポストフィルタリングの方法は、ノイズをフィルタ処理するために受信機において使用され、送信機に対応する制御可能な符号間干渉（ＩＳＩ）が導入されるとともに、その次に、シーケンス検出が実行される。チャネルにおいて重畳される送信信号のホワイトノイズは、チャネル等化を使用することにより増幅され、そしてポストフィルタリングの後で抑制される。さらに、広帯域信号は、制御可能な符号間干渉を導入するフィルタリング方法で狭帯域信号に変換され、受信機においてシーケンス検出を使用することにより、符号間干渉は解消されることができ、それによりシステム性能を改善する。
【図面の簡単な説明】
【００２０】
【図１】本出願による送信機の実施方法の概略の構造図である。
【図２】本出願による送信機のプロセッサの実施方法のモジュール分割の概略図である。
【図３】本出願による送信機のプロセッサの別の実施方法のモジュール分割の概略図である。
【図４】本出願による送信機の別の実施方法の概略の構造図である。
【図５】本出願による送信機のプリフィルタの概略の構造図である。
【図６】本出願による受信機の実施方法の概略の構造図である。
【図７】本出願による受信機のプロセッサの実施方法のモジュール分割の概略図である。
【図８】本出願による受信機のプロセッサの別の実施方法のモジュール分割の概略図である。
【図９】本出願による受信機の別の実施方法の概略の構造図である。
【図１０】本出願による受信機のポストフィルタの概略の構造図である。
【図１１】本出願による信号を送信するための方法の実施方法のフローチャートである。
【図１２】本出願による信号を受信するための方法の実施方法のフローチャートである。
【図１３】本出願による送信機の別の実施方法の概略の構造図である。
【図１４】本出願による受信機の別の実施方法の概略の構造図である。
【発明を実施するための形態】
【００２１】
下記の説明において、限定するよりむしろ例示するために、特別なシステム構造、インタフェース、及び技術のような具体的な詳細が、本出願の完全な理解を行うために提供される。しかしながら、当業者は、これらの具体的な詳細なしで、他の実施方法において本出願が実践され得るということを理解するべきである。他の場合において、周知の装置、回路、及び方法の詳細な説明は省略され、その結果、本出願は、不必要な詳細によって不明瞭にされずに説明される。
【００２２】
図１及び図２を参照すると、図１は、本出願による送信機の実施方法の概略の構造図であり、図２は、本出願による送信機のプロセッサの実施方法のモジュール分割の概略図である。すなわち、図２は、図１におけるプロセッサ１１０を更に詳述する。この実施方法では、偏光多重コヒーレンスシステムが使用され、したがって、送信機は、順次に接続される、プロセッサ１１０、デジタル／アナログ変換器１２０、変調器１３０、偏光カプラ１４０、及びマルチプレクサ１５０を含む。プロセッサ１１０は、コンステレーションマッピングモジュール１１１、プリフィルタリングモジュール１１３、波形成形モジュール１１５などを含む。
【００２３】
データストリームは、処理のためのプロセッサ１１０に送信され、そこで、データストリームは２つのデータストリームに分解され、それらは、それぞれ、第１のコンステレーションマッピングモジュール１１１、及び第２のコンステレーションマッピングモジュール１１１に入力される。例えば、データストリーム“０１  ０１  ００  １０  １０  １０  １０  １０．．．”は、２ビットをグループとして使用することによるインタリーブの方法で、２つのデータストリームに分割され、ここで、第１のデータストリームは“０１  ００  １０  １０．．．”になり、第２のデータストリームは“０１  １０  １０  １０．．．”になる。明確に、データストリームを割り当てる多くの方法が同様に存在し、それは、ここでは列挙されない。
【００２４】
“００”はコンステレーションポイント１＋ｊにマッピングされ、“０１”はコンステレーションポイント−１＋ｊにマッピングされ、“１０”はコンステレーションポイント−１−ｊにマッピングされ、“１１”はコンステレーションポイント１−ｊにマッピングされることが設定され得る。その場合に、第１のデータストリームは“０１  ００  １０  １０．．．”であり、それは、それぞれ“−１＋ｊ、１＋ｊ、−１−ｊ、−１−ｊ．．．”にマッピングされる。各コンステレーションポイントの実数部及び虚数部は、２つの出力として分割され、出力された実数部の第１のマッピングされた信号ＩＸが“−１、１、−１、−１．．．”であり、出力された虚数部の第２のマッピングされた信号ＱＸが“１、１、−１、−１．．．”であることが獲得され得る。同様に、第２のデータストリームに対してコンステレーションマッピングが実行された後で、実数部の第３のマッピングされた信号ＩＹ及び虚数部の第４のマッピングされた信号ＱＹが獲得されることができる。したがって、２つのデータストリームから４つのマッピングされた信号が獲得されることができる。多くのコンステレーションマッピング方法が存在する。上記における２ビットがグループとして使用されるということは、説明のための一例として単に使用される。その代わりに、別の実施方法では、３ビット又は４ビットがコンステレーションマッピングのためのグループとして使用されることができ、それは、ここでは列挙されない。
【００２５】
コンステレーションマッピングの後で、各マッピングされた信号は、４つのマッピングされた信号を４つのフィルタ処理された信号にそれぞれ変換するために、プリフィルタリングのためのプリフィルタリングモジュール１１３に送信される。すなわち、第１のマッピングされた信号は第１のプリフィルタリングモジュール１１３に送信され、第２のマッピングされた信号は第２のプリフィルタリングモジュール１１３に送信され、第３のマッピングされた信号は第３のプリフィルタリングモジュール１１３に送信され、そして第４のマッピングされた信号は第４のプリフィルタリングモジュール１１３に送信される。プリフィルタリングは有限インパルス応答フィルタリングであり、フィルタ処理された信号の帯域幅はマッピングされた信号の帯域幅より小さく、フィルタ処理された信号はボーレート信号である。したがって、プリフィルタリングの後で、対応するマッピングされた信号と比較された場合に、フィルタ処理された信号は、情報損失を受けず、より狭い帯域幅を占有する。
【００２６】
プリフィルタリングの後で、４つのフィルタ処理された信号に対して波形成形が実行され、したがって４つの整形された信号を獲得する。第１のフィルタ処理された信号及び第２のフィルタ処理された信号は、それぞれ第１の整形された信号及び第２の整形された信号を獲得するために、第１の波形成形モジュール１１５に入力されるとともに、第３のフィルタ処理された信号及び第４のフィルタ処理された信号は、それぞれ第３の整形された信号及び第４の整形された信号を獲得するために、第２の波形成形モジュール１１５に入力される。例えば、フィルタ処理された信号は“−１、１、−１、−１．．．”であり、値が“−１”であるときに負の矩形波が出力されるか、又は、値が“１”であるときに正の矩形波が出力される。別の方法において、出力される矩形波は、ガウス波、正弦波などであり得る。より良い伝達効果を獲得するために、送信端に対する補償が、整形の間に更に実行され得る。
【００２７】
第１の整形された信号は、第１のアナログ信号を獲得するために、デジタル／アナログ変換のための第１のデジタル／アナログ変換器１２０に入力され、第２の整形された信号は、第２のアナログ信号を獲得するために、デジタル／アナログ変換のための第２のデジタル／アナログ変換器１２０に入力され、第３の整形された信号は、第３のアナログ信号を獲得するために、デジタル／アナログ変換のための第３のデジタル／アナログ変換器１２０に入力され、第４の整形された信号は、第４のアナログ信号を獲得するために、デジタル／アナログ変換のための第４のデジタル／アナログ変換器１２０に入力される。フィルタ処理された信号の帯域幅がデジタル／アナログ変換器１２０を通過することを許されるデータの帯域幅より小さいので、信号損失は発生しない。
【００２８】
次に、第１のアナログ信号及び第２のアナログ信号は、第１の変調された信号を獲得するために、変調のための第１の変調器１３０に転送され、第３のアナログ信号及び第４のアナログ信号は、第２の変調された信号を獲得するために、変調のための第２の変調器１３０に転送される。そして、第１の変調された信号及び第２の変調された信号は、１つの信号に結合されるように、偏光カプラ１４０に送信され、その信号は、別のチャネルの信号と結合されるようにマルチプレクサ１５０に送信され、そして結合された信号は、トランスポート光ファイバに入力される。
【００２９】
図３を参照すると、図３は、本出願による送信機のプロセッサの別の実施方法のモジュール分割の概略図である。この実施方法では、偏光多重コヒーレンスシステムが同様に使用される。図３の図２との違いは、第１のデータストリームが、コンステレーションマッピングを受けた後で、“−１＋ｊ、１＋ｊ、−１−ｊ、−１−ｊ”の複素数形式において、第１のマッピングされた信号として出力される、ということにある。第２のデータストリームは、コンステレーションマッピングを受けた後で、複素数形式において、第２のマッピングされた信号として同様に出力される。したがって、２つのデータストリームから２つのマッピングされた信号が獲得されることができる。第１のマッピングされた信号は、２つのフィルタ処理された信号、すなわち第１のフィルタ処理された信号及び第２のフィルタ処理された信号を獲得するために、フィルタリングのための第１のプリフィルタリングモジュール１１３に送信される。第２のマッピングされた信号は、２つのフィルタ処理された信号、すなわち第３のフィルタ処理された信号及び第４のフィルタ処理された信号を獲得するために、フィルタリングのための第２のプリフィルタリングモジュール１１３に送信される。４つのフィルタ処理された信号は、それぞれ対応する４つの整形された信号を獲得するために、波形成形のための同じ波形成形モジュール１１５に送信される。
【００３０】
図４を参照すると、図４は、本出願による送信機の別の実施方法の概略の構造図である。非偏光多重コヒーレンスの直接検出システムでは、データストリームは、マッピングされた信号を獲得するために、コンステレーションマッピングのためのコンステレーションマッピングモジュール１１１に直接的に送信され、マッピングされた信号は、フィルタ処理された信号を獲得するために、プリフィルタリングモジュール１１３に送信され、フィルタ処理された信号は、整形された信号を獲得するために、波形成形のための波形成形モジュール１１５に入力され、整形された信号は、アナログ信号を獲得するために、デジタル／アナログ変換のためのデジタル／アナログ変換器１２０に入力され、アナログ信号は、変調された信号を獲得するために、変調のための変調器１３０に転送され、変調された信号は、別のチャネルの信号と結合されるようにマルチプレクサ１５０に送信され、そして結合された信号は、トランスポート光ファイバに入力される。
【００３１】
図５を参照すると、図５は、本出願による送信機のプリフィルタの概略の構造図である。プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）はフィルタ処理された信号であり、Ｃ（ｋ）はマッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。Ｗｉは、伝送システムを具体的に最適化することにより獲得されることができる。
【００３２】
前述の解決法における送信機は、フィルタを使用することにより広帯域のマッピングされた信号を狭帯域のフィルタ処理された信号に変換し、その結果、フィルタ処理された信号は、帯域幅が同様に狭いデジタル／アナログ変換器を滑らかに通過することができ、それにより、装置の不十分な帯域幅に起因してもたらされる信号損失を削減する。
【００３３】
図６及び図７を参照すると、図６は、本出願による受信機の実施方法の概略の構造図であるとともに、図７は、本出願による受信機のプロセッサの実施方法のモジュール分割の概略図である。すなわち、図７は、図６におけるプロセッサ２６０を更に詳述する。この実施方法では、偏光多重コヒーレンスシステムが使用される。したがって、受信機は、デマルチプレクサ２１０、偏光スプリッタ２２０、周波数混合器２３０、光電検出器２４０、アナログ／デジタル変換器２５０、及びプロセッサ２６０を含む。プロセッサ２６０は、分散補償モジュール２６１、偏光補償モジュール２６２、位相回復モジュール２６３、ポストフィルタリングモジュール２６４、シーケンス検出モジュール２６５、及び順方向誤り訂正モジュール２６６を含む。
【００３４】
デマルチプレクサ２１０が、第１の光信号を獲得するために、受信された光信号を分離するとともに、第１の光信号は、偏光スプリッタ２２０により、第１の変調された信号及び第２の変調された信号に分割される。第１の変調された信号は、第１の周波数混合器２３０に入力される。第１の周波数混合器２３０、第１の光電検出器２４０、及び第２の光電検出器２４０は、高周波の第１の変調された信号を、低周波のベースバンドのアナログ信号である第１のアナログ信号及び第２のアナログ信号に復元する。第２の変調された信号は、第２の周波数混合器２３０に入力される。第２の周波数混合器２３０、第３の光電検出器２４０、及び第４の光電検出器２４０は、高周波の第２の変調された信号を、低周波のベースバンドのアナログ信号である第３のアナログ信号及び第４のアナログ信号に復元する。
【００３５】
第１のアナログ信号は、第１のデジタル信号を獲得するために、アナログ／デジタル変換のための第１のアナログ／デジタル変換器２５０に送信され、第２のアナログ信号は、第２のデジタル信号を獲得するために、アナログ／デジタル変換のための第２のアナログ／デジタル変換器２５０に送信され、第３のアナログ信号は、第３のデジタル信号を獲得するために、アナログ／デジタル変換のための第３のアナログ／デジタル変換器２５０に送信され、第４のアナログ信号は、第４のデジタル信号を獲得するために、アナログ／デジタル変換のための第４のアナログ／デジタル変換器２５０に送信される。
【００３６】
４つのデジタル信号が獲得された後で、等化及び回復された信号を獲得するために、デジタル信号に対して等化及び位相回復が実行される。具体的には、第１のデジタル信号及び第２のデジタル信号は、第１の分散補償信号を獲得するために、分散補償のための第１の分散補償モジュール２６１に入力されるとともに、第３のデジタル信号及び第４のデジタル信号は、第２の分散補償信号を獲得するために、分散補償のための第２の分散補償モジュール２６１に入力される。第１の分散補償信号及び第２の分散補償信号は、両方とも、第１の偏光補償信号及び第２の偏光補償信号を獲得するために、偏光補償のための同じ偏光補償モジュール２６２に入力される。第１の偏光補償信号は、第１の等化及び回復された信号並びに第２の等化及び回復された信号を獲得するために、第１の位相回復モジュール２６３に送信されるとともに、第２の偏光補償信号は、第３の等化及び回復された信号並びに第４の等化及び回復された信号を獲得するために、第２の位相回復モジュール２６３に送信される。
【００３７】
第１の等化及び回復された信号は、第１のフィルタ処理された信号を獲得するために、ポストフィルタリングのための第１のポストフィルタリングモジュール２６４に送信され、第２の等化及び回復された信号は、第２のフィルタ処理された信号を獲得するために、ポストフィルタリングのための第２のポストフィルタリングモジュール２６４に送信され、第３の等化及び回復された信号は、第３のフィルタ処理された信号を獲得するために、ポストフィルタリングのための第３のポストフィルタリングモジュール２６４に送信され、第４の等化及び回復された信号は、第４のフィルタ処理された信号を獲得するために、ポストフィルタリングのための第４のポストフィルタリングモジュール２６４に送信される。
【００３８】
第１のフィルタ処理された信号は、第１のシーケンス信号を獲得するために、シーケンス検出のための第１のシーケンス検出モジュール２６５に送信され、第２のフィルタ処理された信号は、第２のシーケンス信号を獲得するために、シーケンス検出のための第２のシーケンス検出モジュール２６５に送信され、第３のフィルタ処理された信号は、第３のシーケンス信号を獲得するために、シーケンス検出のための第３のシーケンス検出モジュール２６５に送信され、第４のフィルタ処理された信号は、第４のシーケンス信号を獲得するために、シーケンス検出のための第４のシーケンス検出モジュール２６５に送信される。
【００３９】
獲得された４つのシーケンス信号は、全て、最終の信号を獲得するために、順方向誤り訂正のための順方向誤り訂正モジュール２６６に送信される。
【００４０】
図８を参照すると、図８は、本出願による受信機のプロセッサの別の実施方法のモジュール分割の概略図である。この実施方法では、偏光多重コヒーレンスシステムが同様に使用される。図８の図７との違いは、第１の等化及び回復された信号並びに第２の等化及び回復された信号が、それぞれ第１のフィルタ処理された信号及び第２のフィルタ処理された信号を獲得するために、ポストフィルタリングのための第１のポストフィルタリングモジュール２６４に送信され、第３の等化及び回復された信号並びに第４の等化及び回復された信号が、それぞれ第３のフィルタ処理された信号及び第４のフィルタ処理された信号を獲得するために、ポストフィルタリングのための第２のポストフィルタリングモジュール２６４に送信される、ということにある。
【００４１】
第１のフィルタ処理された信号及び第２のフィルタ処理された信号は、それぞれ第１のシーケンス信号及び第２のシーケンス信号を獲得するために、シーケンス検出のための第１のシーケンス検出モジュール２６５に送信され、第３のフィルタ処理された信号及び第４のフィルタ処理された信号は、それぞれ第３のシーケンス信号及び第４のシーケンス信号を獲得するために、シーケンス検出のための第２のシーケンス検出モジュール２６５に送信される。
【００４２】
図９を参照すると、図９は、本出願による受信機の別の実施方法の概略の構造図である。非偏光多重コヒーレンスの直接検出システムでは、デマルチプレクサ２１０が、光信号を獲得するために、受信された光信号を分離するとともに、光信号は、光電検出器２４０を使用することによりアナログ信号に変換される。アナログ信号は、デジタル信号を獲得するために、アナログ／デジタル変換のためのアナログ／デジタル変換器２５０に送信される。４つのデジタル信号が獲得された後で、等化及び回復された信号を獲得するために、デジタル信号に対して等化及び位相回復が実行される。具体的には、デジタル信号は、分散補償信号を獲得するために、分散補償のための分散補償モジュール２６１に入力される。分散補償信号は、偏光補償信号を獲得するために、偏光補償のための偏光補償モジュール２６２に入力される。偏光補償信号は、等化及び回復された信号を獲得するために、位相回復モジュール２６３に送信される。
【００４３】
等化及び回復された信号は、フィルタ処理された信号を獲得するために、ポストフィルタリングのためのポストフィルタリングモジュール２６４に送信される。フィルタ処理された信号は、シーケンス信号を獲得するために、シーケンス検出のためのシーケンス検出モジュール２６５に送信される。獲得されたシーケンス信号は、最終の信号を獲得するために、順方向誤り訂正のための順方向誤り訂正モジュール２６６に送信される。
【００４４】
図１０を参照すると、図１０は、本出願による受信機のポストフィルタの概略の構造図である。プロセッサ２６０が、等化及び回復された信号をフィルタ処理された信号に変換するために、等化及び回復された信号に対してポストフィルタリングを実行する場合に、ポストフィルタリングを実施するための式は
【数１３】
0006301478.tif 000014
であり、ここで、ｋは時間シーケンス番号であり、Ｆ（ｋ）はフィルタ処理された信号であり、Ｅ（ｋ）は等化及び回復された信号であり、０≦ｊ≦Ｍ−１であり、Ｍ−１は時間単位に基づく最大の遅延量であり、
【数１４】
0006301478.tif 000015
はｊ番目のフィルタ係数であり、また、Ｅ（ｋ−ｊ）はＥ（ｋ）をｊ個の時間単位だけ遅延させることにより獲得される信号である。
【数１５】
0006301478.tif 000016
は、プリフィルタ及びシステムにより決定され、決定の方法は、トレーニングシーケンス方法、又は、ノイズスペクトル分析方法であり得る。ポストフィルタリングの後で、ノイズは抑制される。
【００４５】
プロセッサ２６０が狭帯域信号に対してシーケンス検出を実行してシーケンス信号を獲得する場合に、シーケンス検出のために使用されるアルゴリズムは、ビタビアルゴリズム又はＢＣＪＲアルゴリズムである。シーケンス検出では、全ての受信信号に関して判定が行われるので、符号間干渉は効果的に抑制されることができる。
【００４６】
前述の解決法において、ポストフィルタリング方法は、ノイズをフィルタ処理するために受信機において使用され、送信機に対応する制御可能な符号間干渉（ＩＳＩ）が導入されるとともに、その次に、シーケンス検出が実行される。チャネルにおいて重畳される送信信号のホワイトノイズは、チャネル等化を使用することにより増幅され、そしてポストフィルタリングの後で抑制される。さらに、広帯域信号は、制御可能な符号間干渉を導入するフィルタリング方法で狭帯域信号に変換され、受信機においてシーケンス検出を使用することにより、符号間干渉は解消されることができ、それによりシステム性能を改善する。
【００４７】
図１１を参照すると、図１１は、本出願による信号を送信するための方法の実施方法のフローチャートである。この実施方法における信号を送信するための方法は、下記のステップを含む。
【００４８】
Ｓ１０１．送信機がデータストリームに対してコンステレーションマッピングを実行してマッピングされた信号を獲得する。
【００４９】
データストリームは、２つのデータストリームに分割され、マッピングされた信号を獲得するために、２つのデータストリームに対してコンステレーションマッピングが別々に実行される。例えば、データストリーム“０１  ０１  ００  １０  １０  １０  １０  １０．．．”は、２ビットをグループとして使用することによるインタリーブの方法で、２つのデータストリームに分割され、ここで、第１のデータストリームは“０１  ００  １０  １０．．．”になり、第２のデータストリームは“０１  １０  １０  １０．．．”になる。明確に、データストリームを割り当てる多くの方法が存在し、それは、ここでは列挙されない。
【００５０】
“００”はコンステレーションポイント１＋ｊにマッピングされ、“０１”はコンステレーションポイント−１＋ｊにマッピングされ、“１０”はコンステレーションポイント−１−ｊにマッピングされ、“１１”はコンステレーションポイント１−ｊにマッピングされることが設定され得る。その場合に、第１のデータストリームは“０１  ００  １０  １０．．．”であり、それは、それぞれ“−１＋ｊ、１＋ｊ、−１−ｊ、−１−ｊ．．．”にマッピングされる。各コンステレーションポイントの実数部及び虚数部は、２つの出力として分割され、出力された実数部の第１のマッピングされた信号が“−１、１、−１、−１．．．”であり、出力された虚数部の第２のマッピングされた信号が“１、１、−１、−１．．．”であることが獲得され得る。同様に、第２のデータストリームに対してコンステレーションマッピングが実行された後で、実数部の第３のマッピングされた信号及び虚数部の第４のマッピングされた信号が獲得されることができる。したがって、２つのデータストリームから４つのマッピングされた信号が獲得されることができる。コンステレーションマッピングの多くの他の方法が同様に存在する。上記における２ビットがグループとして使用されるということは、説明のための一例として単に使用される。その代わりに、別の実施方法では、３ビット又は４ビットがコンステレーションマッピングのためのグループとして使用されることができ、それは、ここでは列挙されない。
【００５１】
Ｓ１０２．送信機が、マッピングされた信号に対してプリフィルタリングを実行してマッピングされた信号をフィルタ処理された信号に変換する。
【００５２】
コンステレーションマッピングの後で、それぞれマッピングされた信号は、４つのマッピングされた信号を４つのフィルタ処理された信号に分割するために、プリフィルタリングのためのプリフィルタリングモジュールに送信される。すなわち、第１のマッピングされた信号は第１のプリフィルタリングモジュールに送信され、第２のマッピングされた信号は第２のプリフィルタリングモジュールに送信され、第３のマッピングされた信号は第３のプリフィルタリングモジュールに送信され、そして第４のマッピングされた信号は第４のプリフィルタリングモジュールに送信される。プリフィルタリングは有限インパルス応答フィルタリングであり、フィルタ処理された信号の帯域幅はマッピングされた信号の帯域幅より小さく、フィルタ処理された信号はボーレート信号である。したがって、プリフィルタリングの後で、対応するマッピングされた信号と比較された場合に、フィルタ処理された信号は、情報損失を受けず、より狭い帯域幅を占有する。プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）はフィルタ処理された信号であり、Ｃ（ｋ）はマッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。Ｗｉは、伝送システムの具体的な最適化に従って獲得されることができる。
【００５３】
Ｓ１０３．送信機が、フィルタ処理された信号に従って波形成形を実行して整形された信号を獲得する。
【００５４】
プリフィルタリングの後で、４つのフィルタ処理された信号に対して波形成形が実行され、したがって４つの整形された信号を獲得する。第１のフィルタ処理された信号及び第２のフィルタ処理された信号は、それぞれ第１の整形された信号及び第２の整形された信号を獲得するために、第１の波形成形モジュールに入力されるとともに、第３のフィルタ処理された信号及び第４のフィルタ処理された信号は、それぞれ第３の整形された信号及び第４の整形された信号を獲得するために、第２の波形成形モジュールに入力される。例えば、フィルタ処理された信号は“−１、１、−１、−１．．．”であり、値が“−１”であるときに負の矩形波が出力されるか、又は、値が“１”であるときに正の矩形波が出力される。別の方法において、出力される矩形波は、ガウス波、正弦波などであり得る。より良い伝達効果を獲得するために、送信端に対する補償が、整形の間に更に実行され得る。
【００５５】
Ｓ１０４．送信機が、整形された信号に対してデジタル／アナログ変換を実行してアナログ信号を獲得するとともに、アナログ信号を送信する。
【００５６】
第１の整形された信号は、第１のアナログ信号を獲得するために、デジタル／アナログ変換のための第１のデジタル／アナログ変換器に入力され、第２の整形された信号は、第２のアナログ信号を獲得するために、デジタル／アナログ変換のための第２のデジタル／アナログ変換器に入力され、第３の整形された信号は、第３のアナログ信号を獲得するために、デジタル／アナログ変換のための第３のデジタル／アナログ変換器に入力され、第４の整形された信号は、第４のアナログ信号を獲得するために、デジタル／アナログ変換のための第４のデジタル／アナログ変換器に入力される。フィルタ処理された信号の帯域幅がデジタル／アナログ変換器を通過することを許されるデータの帯域幅より小さいので、信号損失は発生しない。次に、アナログ信号は、変調された信号を獲得するために、変調のための変調器に転送される。変調された信号は、別のチャネルの信号と結合されるためにマルチプレクサに送信され、そして結合された信号は、トランスポート光ファイバに入力される。
【００５７】
前述の解決法における送信機は、フィルタを使用することにより広帯域のマッピングされた信号を狭帯域のフィルタ処理された信号に変換し、その結果、フィルタ処理された信号は、帯域幅が同様に狭いデジタル／アナログ変換器を滑らかに通過することができ、それにより、装置の不十分な帯域幅に起因してもたらされる信号損失を削減する。
【００５８】
図１２を参照すると、図１２は、本出願による信号を受信するための方法の実施方法のフローチャートである。この実施方法における信号を受信するための方法は、下記のステップを含む。
【００５９】
Ｓ２０１．受信機が、アナログ信号に対してアナログ／デジタル変換を実行してデジタル信号を獲得する。
【００６０】
デマルチプレクサが、第１の光信号を獲得するために、受信された光信号を分離するとともに、第１の光信号は、偏光スプリッタにより、第１の変調された信号及び第２の変調された信号に分割される。第１の変調された信号は、第１の周波数混合器に入力される。第１の周波数混合器、第１の光電検出器、及び第２の光電検出器は、高周波の第１の変調された信号を、低周波のベースバンドのアナログ信号である第１のアナログ信号及び第２のアナログ信号に復元する。第２の変調された信号は、第２の周波数混合器に入力される。第２の周波数混合器、第３の光電検出器、及び第４の光電検出器は、高周波の第２の変調された信号を、低周波のベースバンドのアナログ信号である第３のアナログ信号及び第４のアナログ信号に復元する。次に、アナログ信号をデジタル信号に変換するために、アナログ信号に対してアナログ／デジタル変換が実行される。
【００６１】
Ｓ２０２．受信機が、デジタル信号に対して等化及び位相回復を実行して等化及び回復された信号を獲得する。
【００６２】
４つのデジタル信号が獲得された後で、等化及び回復された信号を獲得するために、デジタル信号に対して等化及び位相回復が実行される。具体的には、第１のデジタル信号及び第２のデジタル信号は、第１の分散補償信号を獲得するために、分散補償のための第１の分散補償モジュールに入力されるとともに、第３のデジタル信号及び第４のデジタル信号は、第２の分散補償信号を獲得するために、分散補償のための第２の分散補償モジュールに入力される。第１の分散補償信号及び第２の分散補償信号は、両方とも、第１の偏光補償信号及び第２の偏光補償信号を獲得するために、偏光補償のための同じ偏光補償モジュールに入力される。第１の偏光補償信号は、第１の等化及び回復された信号並びに第２の等化及び回復された信号を獲得するために、第１の位相回復モジュールに送信されるとともに、第２の偏光補償信号は、第３の等化及び回復された信号並びに第４の等化及び回復された信号を獲得するために、第２の位相回復モジュールに送信される。
【００６３】
Ｓ２０３．受信機が、等化及び回復された信号に対してポストフィルタリングを実行して等化及び回復された信号をフィルタ処理された信号に変換する。
【００６４】
第１の等化及び回復された信号は、第１のフィルタ処理された信号を獲得するために、ポストフィルタリングのための第１のポストフィルタリングモジュール２６４に送信され、第２の等化及び回復された信号は、第２のフィルタ処理された信号を獲得するために、ポストフィルタリングのための第２のポストフィルタリングモジュール２６４に送信され、第３の等化及び回復された信号は、第３のフィルタ処理された信号を獲得するために、ポストフィルタリングのための第３のポストフィルタリングモジュール２６４に送信され、第４の等化及び回復された信号は、第４のフィルタ処理された信号を獲得するために、ポストフィルタリングのための第４のポストフィルタリングモジュール２６４に送信される。
【００６５】
等化及び回復された信号をフィルタ処理された信号に変換するために、等化及び回復された信号に対してポストフィルタリングが実行されることになる場合に、ポストフィルタリングを実施するための式は
【数１６】
0006301478.tif 000017
であり、ここで、ｋは時間シーケンス番号であり、Ｆ（ｋ）はフィルタ処理された信号であり、Ｅ（ｋ）は等化及び回復された信号であり、０≦ｊ≦Ｍ−１であり、Ｍ−１は時間単位に基づく最大の遅延量であり、
【数１７】
0006301478.tif 000018
はｊ番目のフィルタ係数であり、また、Ｅ（ｋ−ｊ）はＥ（ｋ）をｊ個の時間単位だけ遅延させることにより獲得される信号である。
【数１８】
0006301478.tif 000019
は、プリフィルタ及びシステムにより決定され、決定の方法は、トレーニングシーケンス方法、又は、ノイズスペクトル分析方法であり得る。ポストフィルタリングの後で、ノイズは抑制される。
【００６６】
Ｓ２０４．受信機が、フィルタ処理された信号に対してシーケンス検出を実行してシーケンス信号を獲得する。
【００６７】
シーケンス信号を獲得するために、フィルタ処理された信号に対してシーケンス検出が実行されることになる場合に、シーケンス検出のために使用されるアルゴリズムは、ビタビアルゴリズム又はＢＣＪＲアルゴリズムである。シーケンス検出では、全ての受信信号に関して判定が行われるので、符号間干渉は効果的に抑制されることができる。
【００６８】
前述の解決法において、ポストフィルタリングの方法は、ノイズをフィルタ処理するために受信機において使用され、送信機に対応する制御可能な符号間干渉（ＩＳＩ）が導入されるとともに、その次に、シーケンス検出が実行される。チャネルにおいて重畳される送信信号のホワイトノイズは、チャネル等化を使用することにより増幅され、そしてポストフィルタリングの後で抑制される。さらに、広帯域信号は、制御可能な符号間干渉を導入するフィルタリング方法で狭帯域信号に変換され、受信機においてシーケンス検出を使用することにより、符号間干渉は解消されることができ、それによりシステム性能を改善する。
【００６９】
図１３を参照すると、図１３は、本出願による送信機の別の実施方法の概略の構造図である。この実施方法における送信機は、マッピングモジュール３１０、プリフィルタリングモジュール３２０、整形モジュール３３０、及びデジタル／アナログ変換モジュール３４０を含む。
【００７０】
マッピングモジュール３１０は、データストリームに対してコンステレーションマッピングを実行してマッピングされた信号を獲得するように構成される。例えば、データストリームは、２つのデータストリームに分割され、マッピングされた信号を獲得するために、２つのデータストリームに対してコンステレーションマッピングが別々に実行される。例えば、データストリーム“０１  ０１  ００  １０  １０  １０  １０  １０．．．”は、２ビットをグループとして使用することによるインタリーブの方法で、２つのデータストリームに分割され、ここで、第１のデータストリームは“０１  ００  １０  １０．．．”になり、第２のデータストリームは“０１  １０  １０  １０．．．”になる。明確に、データストリームを割り当てる多くの他の方法が同様に存在し、それは、ここでは列挙されない。
【００７１】
“００”はコンステレーションポイント１＋ｊにマッピングされ、“０１”はコンステレーションポイント−１＋ｊにマッピングされ、“１０”はコンステレーションポイント−１−ｊにマッピングされ、“１１”はコンステレーションポイント１−ｊにマッピングされることが設定され得る。その場合に、第１のデータストリームは“０１  ００  １０  １０．．．”であり、それは、それぞれ“−１＋ｊ、１＋ｊ、−１−ｊ、−１−ｊ．．．”にマッピングされる。各コンステレーションポイントの実数部及び虚数部は、２つの出力として分割され、出力された実数部の第１のマッピングされた信号が“−１、１、−１、−１．．．”であり、出力された虚数部の第２のマッピングされた信号が“１、１、−１、−１．．．”であることが獲得され得る。同様に、第２のデータストリームに対してコンステレーションマッピングが実行された後で、実数部の第３のマッピングされた信号及び虚数部の第４のマッピングされた信号が獲得されることができる。したがって、２つのデータストリームから４つのマッピングされた信号が獲得されることができる。コンステレーションマッピングの多くの他の方法が同様に存在する。上記における２ビットがグループとして使用されるということは、説明のための一例として単に使用される。その代わりに、別の実施方法では、３ビット又は４ビットがコンステレーションマッピングのためのグループとして使用されることができ、それは、ここでは列挙されない。マッピングモジュール３１０は、マッピングされた信号をプリフィルタリングモジュール３２０に送信する。
【００７２】
プリフィルタリングモジュール３２０は、マッピングされた信号を受信し、マッピングされた信号に対してプリフィルタリングを実行してマッピングされた信号をフィルタ処理された信号に変換するように構成される。例えば、コンステレーションマッピングの後で、マッピングされた信号は、マッピングされた信号をフィルタ処理された信号に変換するために、プリフィルタリングのためのプリフィルタリングモジュールに送信される。プリフィルタリングは有限インパルス応答フィルタリングであり、フィルタ処理された信号の帯域幅はマッピングされた信号の帯域幅より小さく、フィルタ処理された信号はボーレート信号である。したがって、プリフィルタリングの後で、対応するマッピングされた信号と比較された場合に、フィルタ処理された信号は、情報損失を受けず、より狭い帯域幅を占有する。プリフィルタリングを実施するための式はＤ（ｋ）＝Ｗ０Ｃ（ｋ）＋Ｗ１Ｃ（ｋ−１）＋・・・＋ＷＮ−１Ｃ（ｋ−Ｎ＋１）であり、ここで、ｋは時間シーケンス番号であり、Ｄ（ｋ）はフィルタ処理された信号であり、Ｃ（ｋ）はマッピングされた信号であり、０≦ｉ≦Ｎ−１であり、Ｎ−１は時間単位に基づく最大の遅延量であり、Ｗｉはｉ番目のフィルタ係数であり、また、Ｃ（ｋ−ｉ）はＣ（ｋ）をｉ個の時間単位だけ遅延させることにより獲得される信号である。Ｗｉは、伝送システムの具体的な最適化に従って獲得されることができる。プリフィルタリングモジュール３２０は、フィルタ処理された信号を整形モジュール３３０に送信する。
【００７３】
整形モジュール３３０は、フィルタ処理された信号を受信し、フィルタ処理された信号に従って波形成形を実行して整形された信号を獲得するように構成される。例えば、フィルタ処理された信号は“−１、１、−１、−１．．．”であり、値が“−１”であるときに負の矩形波が出力されるか、又は、値が“１”であるときに正の矩形波が出力される。別の方法において、出力される矩形波は、ガウス波、正弦波などであり得る。より良い伝達効果を獲得するために、送信端に対する補償が、整形の間に更に実行され得る。整形モジュール３３０は、整形された信号をデジタル／アナログ変換モジュール３４０に送信する。
【００７４】
デジタル／アナログ変換モジュール３４０は、整形された信号を受信し、整形された信号に対してデジタル／アナログ変換を実行してアナログ信号を獲得するとともに、アナログ信号を送信するように構成される。例えば、整形された信号は、アナログ信号を獲得するために、デジタル／アナログ変換のためのデジタル／アナログ変換モジュール３４０に送信される。フィルタ処理された信号の帯域幅がデジタル／アナログ変換器を通過することを許されるデータの帯域幅より小さいので、信号損失は発生しない。次に、アナログ信号は、変調された信号を獲得するために、変調のための変調器に転送される。変調された信号は、別のチャネルの信号と結合されるためにマルチプレクサに送信され、そして結合された信号は、トランスポート光ファイバに入力される。
【００７５】
前述の解決法における送信機は、フィルタを使用することにより広帯域のマッピングされた信号を狭帯域のフィルタ処理された信号に変換し、その結果、フィルタ処理された信号は、帯域幅が同様に狭いデジタル／アナログ変換器を滑らかに通過することができ、それにより、装置の不十分な帯域幅に起因してもたらされる信号損失を削減する。
【００７６】
図１４を参照すると、図１４は、本出願による受信機の別の実施方法の概略の構造図である。この実施方法における受信機は、アナログ／デジタル変換モジュール４１０、等化及び回復モジュール４２０、ポストフィルタリングモジュール４３０、及びシーケンス検出モジュール４４０を含む。
【００７７】
アナログ／デジタル変換モジュール４１０は、アナログ信号に対してアナログ／デジタル変換を実行してデジタル信号を獲得するように構成される。例えば、デマルチプレクサが、光信号を獲得するために、受信された光信号を分離するとともに、光信号は、光電検出器によりアナログ信号に変換される。次に、アナログ信号をデジタル信号に変換するために、アナログ信号に対してアナログ／デジタル変換が実行される。アナログ／デジタル変換モジュール４１０は、デジタル信号を等化及び回復モジュール４２０に送信する。
【００７８】
等化及び回復モジュール４２０は、デジタル信号を受信し、デジタル信号に対して等化及び回復を実行して等化及び回復された信号を獲得するように構成される。例えば、デジタル信号が獲得された後で、等化及び回復された信号を獲得するために、デジタル信号に対して等化及び位相回復が実行される。具体的には、デジタル信号は、分散補償信号を獲得するために、分散補償のための分散補償モジュールに入力される。分散補償信号は、偏光補償信号を獲得するために、偏光補償のための偏光補償モジュールに入力される。偏光補償信号は、等化及び回復された信号を獲得するために、位相回復モジュールに送信される。等化及び回復モジュール４２０は、等化及び回復された信号をフィルタリングモジュール４３０に送信する。
【００７９】
ポストフィルタリングモジュール４３０は、等化及び回復された信号を受信し、等化及び回復された信号に対してポストフィルタリングを実行して等化及び回復された信号をフィルタ処理された信号に変換し、ここで、ポストフィルタリングは有限インパルス応答フィルタリングであり、等化及び回復された信号の帯域幅はフィルタ処理された信号の帯域幅より大きい。例えば、等化及び回復された信号は、フィルタ処理された信号を獲得するために、ポストフィルタリングのためのポストフィルタリングモジュールに送信される。等化及び回復された信号をフィルタ処理された信号に変換するために、等化及び回復された信号に対してポストフィルタリングが実行されることになる場合に、ポストフィルタリングを実施するための式は
【数１９】
0006301478.tif 000020
であり、ここで、ｋは時間シーケンス番号であり、Ｆ（ｋ）はフィルタ処理された信号であり、Ｅ（ｋ）は等化及び回復された信号であり、０≦ｊ≦Ｍ−１であり、Ｍ−１は時間単位に基づく最大の遅延量であり、
【数２０】
0006301478.tif 000021
はｊ番目のフィルタ係数であり、また、Ｅ（ｋ−ｊ）はＥ（ｋ）をｊ個の時間単位だけ遅延させることにより獲得される信号である。
【数２１】
0006301478.tif 000022
は、プリフィルタ及びシステムにより決定され、決定の方法は、トレーニングシーケンス方法、又は、ノイズスペクトル分析方法であり得る。ポストフィルタリングの後で、ノイズは抑制される。ポストフィルタリングモジュール４３０は、フィルタ処理された信号をシーケンス検出モジュール４４０に送信する。
【００８０】
シーケンス検出モジュール４４０は、フィルタ処理された信号を受信するとともに、フィルタ処理された信号に対してシーケンス検出を実行してシーケンス信号を獲得するように構成される。例えば、シーケンス信号を獲得するために、フィルタ処理された信号に対してシーケンス検出が実行されることになる場合に、シーケンス検出のために使用されるアルゴリズムは、ビタビアルゴリズム又はＢＣＪＲアルゴリズムである。シーケンス検出では、全ての受信信号に関して判定が行われるので、符号間干渉は効果的に抑制されることができる。
【００８１】
前述の解決法において、ポストフィルタリングの方法は、ノイズをフィルタ処理するために受信機において使用され、送信機に対応する制御可能な符号間干渉（ＩＳＩ）が導入されるとともに、その次に、シーケンス検出が実行される。チャネルにおいて重畳される送信信号のホワイトノイズは、チャネル等化を使用することにより増幅され、そしてポストフィルタリングの後で抑制される。さらに、広帯域信号は、制御可能な符号間干渉を導入するフィルタリング方法で狭帯域信号に変換され、受信機においてシーケンス検出を使用することにより、符号間干渉は解消されることができ、それによりシステム性能を改善する。
【００８２】
前述の信号を送信するための方法及び信号を受信するための方法に基づいて、本出願は、信号伝送方法を更に提案する。前述の信号を送信するための方法を使用することにより信号が送信された後で、前述の信号を受信するための方法を使用することにより信号が受信される。さらに、システムの最適な性能を達成するために、プリフィルタリングを実施するための式における時間単位に基づく最大の遅延量Ｎ−１がポストフィルタリングを実施するための式における時間単位に基づく最大の遅延量Ｍ−１に等しいことが設定され得る。
【００８３】
前述の送信機及び受信機に基づいて、本出願は、データ伝送が送信機と受信機との間で実行されることができる信号伝送システムを更に提案する。さらに、システムの最適な性能を達成するために、プリフィルタリングを実施するための式における時間単位に基づく最大の遅延量Ｎ−１がポストフィルタリングを実施するための式における時間単位に基づく最大の遅延量Ｍ−１に等しいことが設定され得る。
【００８４】
本出願において提供されたいくらかの実施方法において、開示されたシステム、装置、及び方法は他の様式で実施され得る、ということが理解されるべきである。例えば、説明された装置の実施例は、単に代表的である。例えば、モジュール若しくはユニットの分割は、単に論理的な機能の分割であるとともに、実際の実装例では他の分割であるかもしれない。例えば、複数のユニット又はコンポーネントは、別のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを使用することにより実施され得る。装置若しくはユニットの間の間接的な結合又は通信接続は、電子的方式、機械的方式、又は他の方式において実施され得る。
【００８５】
別個の部品として説明されるユニットは、物理的に分離しているかもしれないし、又は物理的に分離していないかもしれないとともに、ユニットとして表示される部品は、物理的なユニットであるかもしれないし、又は物理的なユニットでないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【００８６】
さらに、本出願の実施例における機能ユニットは１つの演算処理装置に統合され得るか、又は、それぞれのユニットは物理的に単独で存在し得るか、又は、２つ以上のユニットは１つのユニットに統合され得る。統合されたユニットは、ハードウェアの形式で実施され得るか、又は、ソフトウェア機能ユニットの形式で実施され得る。
【００８７】
統合されたユニットは、ソフトウェア機能ユニットの形式で実施されるとともに、独立した製品として販売されるか又は使用される場合に、コンピュータ読み取り可能な記憶媒体に記憶され得る。そのような理解に基づくと、本出願の技術的解決法は本質的に、又は、従来技術に貢献する部分は、又は、技術的解決法の全部若しくは一部は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）又はプロセッサに、本出願の実施方法において説明された方法のステップの全部又は一部を実行するように指示するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク、又は光ディスクのような、プログラムコードを記憶することができるあらゆる媒体を含む。
【図１】
0006301478.tif 000029
【図２】
0006301478.tif 000030
【図３】
0006301478.tif 000031
【図４】
0006301478.tif 000032
【図５】
0006301478.tif 000033
【図６】
0006301478.tif 000034
【図７】
0006301478.tif 000035
【図８】
0006301478.tif 000036
【図９】
0006301478.tif 000037
【図１０】
0006301478.tif 000038
【図１１】
0006301478.tif 000039
【図１２】
0006301478.tif 000040
【図１３】
0006301478.tif 000041
【図１４】
0006301478.tif 000042